(57)【特許請求の範囲】
【請求項１】
現像剤ごとに設けた複数段の感光体ドラムと、前記感光体ドラムごとに設けられ前記感光体ドラムに形成された静電潜像をトナーにより顕像化するための現像ローラを備えた現像ユニットと、顕像化されたトナー像を転写する中間転写ベルトとを備え、この感光体ドラムのうち前記中間転写ベルトに先に転写が行われる第１の感光体ドラムの一部とそれに隣接して次に転写が行われる第２の感光体ドラムに対応して設けられた現像ユニットの一部とが、その上下方向においてオーバーラップして構成されているカラー画像形成装置であって、
前記第１の感光体ドラムと前記第２の感光体ドラムの間には、前記第１の感光体ドラムの残留トナーを除去するためのクリーニングブレードとその支持具、トナーを回収するための排出ユニットが配設され、前記支持具は前記第２の感光体ドラムの現像ローラの下方でかつ前記排出ユニットの上方に配置されると共に、前記現像ローラに向かって凹となる形状を有していることを特徴とするカラー画像形成装置。
【発明の詳細な説明】
【０００１】
【発明の属する技術分野】
本発明は、電子写真技術などを利用して画像情報を重ね合わせて合成像を形成するカラー画像形成装置に関する。
【０００２】
【従来の技術】
従来より、電子写真技術を採用した画像形成装置においては、像担持体としての電子写真感光体を帯電器により帯電し、この感光体に画像情報に応じた光照射を行って潜像を形成し、この潜像を現像器によって現像して顕像化したトナー像をシート材等に転写して画像を形成することが行われている。
【０００３】
一方、画像のカラー化に伴って、このような一連の画像形成プロセスが展開される像担持体を複数備えておき、シアン像、マゼンタ像、イエロー像、好ましくはブラック像の各色像をそれぞれの像担持体に形成し、各像担持体の転写位置にてシート材に各色像を重ね合わせて転写することによりフルカラー画像を形成するタンデム方式の画像形成装置も従来から数多く提案されている。このようなタンデム方式の多重画像形成装置は、各色ごとにそれぞれの画像形成部を有するため、高速化に有利であるとされている。
【０００４】
タンデム方式の多重画像形成装置は、たとえば本願出願人が提案して特願平１１−９２５９８号として出願した明細書に記載のように、イエロー（Ｙ），マゼンタ（Ｍ），シアン（Ｃ），ブラック（Ｋ）の各色のトナー像をそれぞれ形成するための画像形成ユニットと、画像信号を出力して静電潜像を形成させるための露光器と、閉ループ状に形成されて走行する中間転写ベルトと、定着器とを備え、用紙カセットから供給された用紙Ｐに中間転写ベルト上のトナー像を転写して定着器によりトナー像を用紙に定着させるというものである。
【０００５】
イエロー（Ｙ），マゼンタ（Ｍ），シアン（Ｃ），ブラック（Ｋ）のそれぞれの画像形成ユニットはいずれも共通の構造としたもので、その一つの画像形成ユニットを図９に示す。図９は従来の現像ユニットと感光体ユニットの構成例を示す要部の概略正面図である。図示のように、画像形成ユニットは、露光器（図示せず）のレーザビームによって静電潜像がその周面に形成される感光体ドラム１０１と、これを帯電させる帯電ローラ１０２と、クリーニングブレード１０３を含む感光体ユニット、及びトナー供給タンク１０４と、トナー供給ローラ１０５、と感光体ドラム１０１に接触する現像ローラ１０６と、この現像ローラ１０６に接触してトナー層を均一薄層且つ所定の電位に帯電させるトナー薄層化ブレード１０７とを含む現像ユニットの組合せとしたものである。
【０００６】
このような画像形成ユニットにおいて、感光体ドラム１０１上に露光器によって画像情報の静電潜像が形成される。この静電潜像は現像ローラ１０６によりトナー像として可視像化され、中間転写ベルト上に転写される。そして、４色のカラー画像形成装置では、各色のトナー像が中間転写ベルト上に転写されて最終的に多重のカラー画像が創成される。
【０００７】
【発明が解決しようとする課題】
ところが、図示のように感光体ドラム１０１を挟んでクリーニングブレード１０３と現像ローラ１０６及びトナー供給ローラ１０５とが順に配列されるため、一つの画像形成ユニットの中間転写ベルトの走行方向（図において左側から右側方向）の長さが長くなる。このため、４色の画像形成ユニットのそれぞれの感光体ドラム１０１どうしの間隔が長くなる傾向にある。
【０００８】
このように感光体ドラム１０１の間隔が長いと、装置の小型化に制約を受けるだけでなく、中間転写ベルトの転写位置の間隔も広がるので、カラーの多重画像形成の場合では各色の転写精度が低下して色ずれを発生する原因となり、良好なカラー画像の形成に支障を招く。また、転写ベルトも長くする必要があるので、同様に色ずれを発生しやすく、装置が大型化するとともにコストも高くなるという問題がある。
【０００９】
本発明は、感光体ドラムの配列ピッチを短くして小型化できるとともに中間転写ベルトへの転写精度も高く維持でき、中間転写ベルトへの無用なトナーの付着防止が行えるカラー画像形成装置を提供することを目的とする。
【００１０】
【課題を解決するための手段】
本発明は、現像剤ごとに設けた複数段の感光体ドラムと、前記感光体ドラムごとに設けられ前記感光体ドラムに形成された静電潜像をトナーにより顕像化するための現像ローラを備えた現像ユニットと、顕像化されたトナー像を転写する中間転写ベルトとを備え、この感光体ドラムのうち前記中間転写ベルトに先に転写が行われる第１の感光体ドラムの一部とそれに隣接して次に転写が行われる第２の感光体ドラムに対応して設けられた現像ユニットの一部とが、その上下方向においてオーバーラップして構成されているカラー画像形成装置であって、前記第１の感光体ドラムと前記第２の感光体ドラムの間には、前記第１の感光体ドラムの残留トナーを除去するためのクリーニングブレードとその支持具、トナーを回収するための排出ユニットが配設され、前記支持具は前記第２の感光体ドラムの現像ローラの下方でかつ前記排出ユニットの上方に配置されると共に、前記現像ローラに向かって凹となる形状を有していることを特徴とする。
【００１１】
本発明では、感光体ドラムの配列ピッチを短くして小型化できるとともに中間転写ベルトへの転写精度も高く維持できるカラー画像形成装置を得ることができる。
【００１２】
【発明の実施の形態】
請求項１に記載の発明は、現像剤ごとに設けた複数段の感光体ドラムと、前記感光体ドラムごとに設けられ前記感光体ドラムに形成された静電潜像をトナーにより顕像化するための現像ローラを備えた現像ユニットと、顕像化されたトナー像を転写する中間転写ベルトとを備え、この感光体ドラムのうち前記中間転写ベルトに先に転写が行われる第１の感光体ドラムの一部とそれに隣接して次に転写が行われる第２の感光体ドラムに対応して設けられた現像ユニットの一部とが、その上下方向においてオーバーラップして構成されているカラー画像形成装置であって、前記第１の感光体ドラムと前記第２の感光体ドラムの間には、前記第１の感光体ドラムの残留トナーを除去するためのクリーニングブレードとその支持具、トナーを回収するための排出ユニットが配設され、前記支持具は前記第２の感光体ドラムの現像ローラの下方でかつ前記排出ユニットの上方に配置されると共に、前記現像ローラに向かって凹となる形状を有していることを特徴とするカラー画像形成装置であり、このように構成することにより、デッドスペースをなくし、幅方向の寸法を縮小することができ、隣接する感光体ドラムの現像ローラから放出されるトナーを受け止め、中間転写ベルトへの無用なトナーの付着防止が行える。
【００１３】
以下、本発明の実施の形態を図面に基づいて説明する。
【００１４】
図１は本発明の一実施の形態によるカラー画像形成装置の構成を示す概略正面図である。
【００１５】
図１において、ドライブプーリ５１ａによって矢印方向に走行駆動される中間転写ベルト５１が閉ループ状に配置され、この中間転写ベルト５１の下方に配置された用紙カセット５２から用紙Ｐが転写ローラ５１ｂと中間転写ベルト５１との間を抜けて定着器５３へ給紙される概略構成となっている。すなわち、中間転写ベルト５１に形成されたカラーのトナー画像は転写ローラ５１ｂとの間にニップされるこの用紙Ｐに転写され、転写トナー画像は定着器５３によって用紙Ｐに定着される。そして、中間転写ベルト５１の上方にはレーザーを画像情報に基づいて照射する露光器（図示せず）が配置され、この露光器と中間転写ベルト５１との間にイエロー（Ｙ），マゼンタ（Ｍ），シアン（Ｃ），ブラック（Ｋ）の画像を順に形成する画像形成ユニットＡを配置している。
【００１６】
図２は感光体ドラムと帯電ブラケットを備えたハウジングに現像ユニットを装着したときの要部の正面縦断面図、図３はハウジングの斜視図である。
【００１７】
図３に示すようにハウジング１は上下を開放した箱体状であり、下端部には転写ベルト５１に接触してトナー像を転写するための感光体ドラム２ａ，２ｂ，２ｃ，２ｄをそれぞれ外部の駆動機構により時計方向に回転可能に軸支している。これらの感光体ドラム２ａ〜２ｄは露光器（図示せず）からのレーザビームによって周面に静電潜像を形成可能としたもので、図３のハウジング１の一方の端部壁に開けた着脱孔１ａから抜き差し可能である。また、感光体ドラム２ａ〜２ｄの近傍には、その周面に接触して帯電させる帯電ブラシ３ａ，３ｂ，３ｃ，３ｄを回転自在に配置するとともに、中間転写ベルト５１にトナー像を転写した後の残留トナーを剥離除去するためのクリーニングブレード４ａ，４ｂ，４ｃ，４ｄを配置する。これらの感光体ドラム２ａ〜２ｄ，帯電ブラシ３ａ〜３ｄ，クリーニングブレード４ａ〜４ｄによって感光体ユニットが構成される。
【００１８】
図４は支持具に保持されたクリーニングブレード４ａ（４ｂ〜４ｃ）の斜視図であって、ゴムを素材としたクリーニングブレード４ａ（４ｂ〜４ｃ）は図２から明らかなようにほぼ「コ」の字状の断面形状を持つ金属板の支持具５に一体化されたものである。この支持具５は図３に示すようにハウジング１の両端部壁の外面に形成された斜め姿勢の保持座１ｄに突き当てられ、支持具５に開けた孔５ａ−１に通すビスによってこの保持座１ｄに固定される。
【００１９】
ハウジング１の端部壁の内面には一対の装着溝１ｂ，１ｃをそれぞれ４箇所に設け、これらの装着溝１ｂ，１ｃにガイドされてハウジング１に上から出し入れ自在に収納されるイエロー（Ｙ），マゼンタ（Ｍ），シアン（Ｃ），ブラック（Ｋ）の現像ユニット６，７，８，９を設ける。これらの現像ユニット６〜９は図１に示すように各色のトナーを収納して画像形成装置の本体に対して着脱自在なトナータンク１０ａ，１０ｂ，１０ｃ，１０ｄにそれぞれトナーの供給路を接続可能としたものである。
【００２０】
各現像ユニット６〜９はそれぞれトナータンク１０ａ〜１０ｄにトナー流路を接続可能にハウジング１内に収納されるケーシング６ａ，７ａ，８ａ，９ａを備え、これらのケーシング６ａ〜９ａにそれぞれトナー攪拌用のアジテータ６ｂ，７ｂ，８ｂ，９ｂ、トナー供給ローラ６ｃ，７ｃ，８ｃ，９ｃ、現像ローラ６ｄ，７ｄ，８ｄ，９ｄ、薄層化ローラ６ｅ，７ｅ，８ｅ，９ｅをそれぞれ回転駆動可能に収納したものである。トナー供給ローラ６ｃ〜９ｃは現像ローラ６ｄ〜９ｄにトナーを付着させ、薄層化ローラ６ｅ〜９ｅは現像ローラ６ｄ〜９ｄのトナー層を均一薄層化するとともに所定の電位に帯電させ、現像ローラ６ｄ〜９ｄは感光体ドラム２ａ〜２ｄ上の静電潜像にトナーを帯電付着させてトナー像を形成させるものである。また、ケーシング６ａ〜９ａの下端部には、現像ローラ６ｄ〜９ｄに接触して付着トナーをトナー供給ローラ６ｃ〜９ｃ側に回収し中間転写ベルト５１へのトナーの抜け落ちを防止するためのリカバリーシート６ｆ，７ｆ，８ｆ，９ｆを設ける。更に、薄層化ローラ６ｅ〜９ｅの近傍にはその周面に接触して付着トナーを除去するスクレーパ６ｇ，７ｇ，８ｇ，９ｇを配置する。
【００２１】
図５は１個の現像ユニット６を感光体ドラム２ａとともに示す斜視図、図６はハウジングにイエローの現像ユニットを組み込んだときの斜視図、図７はハウジングに全ての現像ユニットを組み込んだときの斜視図であり、図示のようにケーシング６ａの両端にはスプリング６ｈを配置している。このスプリング６ｈはケーシング６ａを図６に示すようにハウジング１の中に差し込んだとき、ハウジング１の内壁の受け座（図示せず）に係合してケーシング６ａを斜め下向きに付勢する。これにより、図示のように現像ローラ６ｄが感光体ドラム２ａの周面に適度の押圧力を持って接触する組立てを得ることができる。なお、他の現像ユニット７〜９のケーシング７ａ〜９ａの組み込みについても全く同様であり、全ての現像ユニット６〜９をハウジング１の中にセットした状態を図７に示す。
【００２２】
図１及び図２に戻って、クリーニングブレード４ａ〜４ｄの支持具５の下にトナーを回収するためのスクリューを内蔵した排出ユニット５ａが取り付けられている。この排出ユニット５ａはクリーニングブレード４ａ〜４ｄによって掻き取られたトナーを回収して排出する機能を持つ。
【００２３】
また、帯電ブラシ３ａ〜３ｄには感光体ドラム２ａ〜２ｄの周面に残っている残留トナーが付着するので、この残留トナーを除去するためのパッド１１ａ，１１ｂ，１１ｃ，１１ｄを設ける。バッド１１ａ，１１ｂ，１１ｃはそれぞれの右隣のケーシング７ａ，８ａ，９ａの外壁を利用して取り付けられ、残りのパッド１１ｄはハウジング１の内壁を利用して取り付けられている。更に、ケーシング７ａ，８ａ，９ａはそれぞれ左隣の現像ユニット６，７，８の帯電ブラシ３ａ，３ｂ，３ｃの近傍を通るような断面形状として形成されている。このようなケーシング７ａ〜９ａの形状によって、帯電ブラシ３ａ〜３ｃの周面の一部をカバーすることができ、帯電ブラシ３ａ〜３ｃが回転するときに付着したトナーの飛散をケーシング７ａ〜９ａが遮ることができる。このように、ケーシング７ａ〜９ａはそれぞれの左隣のユニットの帯電ブラシ３ａ〜３ｃのカバーとして機能すると同時に付着トナー除去のためのパッド１１ａ〜１１ｃの取り付け部材としても利用できる。したがって、帯電ブラシ３ａ〜３ｃのカバーやパッド１１ａ〜１１ｃ取り付け用の専用の部材を必要とせず、帯電ブラシ３ａ〜３ｃ周りの占有空間を狭くできる。
【００２４】
ここで、クリーニングブレード４ａ〜４ｃはそれぞれ隣接する感光体ドラム２ａ〜２ｃの間に位置し、その背面をほぼ「コ」の字状の断面形状を持つ支持具５によって保持されている。この支持具５は少し右下がりに傾斜しているものの上に凹となる姿勢をとり、現像ローラ７ｄ，８ｄ，９ｄを向く面が凹んだ形状となっている。したがって、現像ローラ７ｄ，８ｄ，９ｄに付着していてリカバリーシート７ｆ，８ｆ，９ｆで回収できなかったトナーを受けることができる。すなわち、４個の感光体ドラム２ａ〜２ｄのそれぞれの間に支持具５とこれに保持されたクリーニングブレード４ａ〜４ｃだけを配置することで、感光体ドラム２ａ〜２ｄどうしの間隔を狭めることができる。また、支持具５は前述のようにトナーを受ける部材として利用できるので、最もトナーを放出しやすい現像ローラ７ｄ〜９ｄを支持具５の上側に位置させると同時に、トナー供給ローラ７ｃ〜９ｃの周面からトナーが抜け落ちるリカバリーシート７ｆ〜９ｆの下に支持具５を位置させることが好ましい。そこで、本発明では、現像ユニット７〜９の現像ローラ７ｄ〜９ｄの軸芯を感光体ドラム２ｂ〜２ｄの中心から左斜め上の線分上に位置させる配置とした。なお、このような配置は現像ユニット６の現像ローラ６ｄについても同様であり、漏れ落ちるトナーはハウジング１の下端部で受け止めて回収できるようにする。
【００２５】
このように感光体ドラム２ａ〜２ｄに対する現像ローラ６ｄ〜９ｄの位置関係によって、感光体ドラム２ａ〜２ｄは現像ローラ７ｄ〜９ｄによる配列方向の干渉を受けない。したがって、感光体ドラム２ａ〜２ｄどうしの間隔を従来の技術で示した構成に比べて短くできる。また、現像ローラ６ｄ〜９ｄは感光体ドラム２ａ〜２ｄの真上ではなく左斜めに偏って位置しているので、これらの現像ローラ６ｄ〜９ｄと感光体ドラム２ａ〜２ｄとの高さ方向の寸法も抑えられる。そして、前述のように現像ローラ７ｄ〜９ｄは支持具５の上方に位置していることから、現像ローラ７ｄ〜９ｄから払い出されるトナーを支持具５で受け止めることができ、中間転写ベルト５１への無用なトナーの付着も防止できる。
【００２６】
なお、感光体ドラム２ａ〜２ｄによる中間転写ベルト５１へのトナー画像の転写工程及び中間転写ベルト５１と転写ローラ５１ｂによる用紙Ｐへの転写の動作は従来のタンデム方式の画像形成装置のものと同様である。
【００２７】
以下、本発明の他の実施の形態について説明する。
【００２８】
図８は、本発明の実施の形態に係るカラー画像形成装置の正面縦断面図であり、図２において説明したものと同じ構成については説明を省略する。
【００２９】
図８において、クリーニングブレード４ａ〜４ｃはそれぞれ隣接する感光体ドラム２ａ〜２ｃの間に位置し、その背面をほぼ「コ」の字状の断面形状を持つ支持具５によって保持されている。この支持具５は少し右下がりに傾斜しているものの上に凹となる姿勢をとり、現像ローラ７ｄ，８ｄ，９ｄを向く面が凹んだ形状となっている。したがって、現像ローラ７ｄ，８ｄ，９ｄに付着していてリカバリーシート７ｆ，８ｆ，９ｆで回収できなかったトナーを受けることができる。すなわち、４個の感光体ドラム２ａ〜２ｄのそれぞれの間に支持具５とこれに保持されたクリーニングブレード４ａ〜４ｃだけを配置することで、感光体ドラム２ａ〜２ｄどうしの間隔を狭めることができる。また、支持具５は前述のようにトナーを受ける部材として利用できるので、最もトナーを放出しやすい現像ローラ７ｄ〜９ｄを支持具５の上側に位置させると同時に、トナー供給ローラ７ｃ〜９ｃの周面からトナーが抜け落ちるリカバリーシート７ｆ〜９ｆの下に支持具５を位置させることが好ましい。そこで、本発明では、現像ユニット７〜９の現像ローラ７ｄ〜９ｄの軸芯を感光体ドラム２ｂ〜２ｄの中心から左斜め上の線分上に位置させる配置とした。なお、このような配置は現像ユニット６の現像ローラ６ｄについても同様であり、漏れ落ちるトナーはハウジング１の下端部で受け止めて回収できるようにする。
【００３０】
現像ユニット６，７，８，９は互いに近接して構成されておリ、感光体ドラム２ａの一部と現像ユニット７の一部とは、図８の斜線領域で示すように、上下方向においてオーバーラップした位置にある。同じように、感光体ドラム２ｂの一部と現像ユニット８の一部、感光体ドラム２ｃの一部と現像ユニット９の一部は、図８の斜線領域で示すように、その上下方向においてオーバーラップした位置に構成されている。
【００３１】
或いは、他の表現で説明すると、図８の斜線領域で示すように、感光体ドラム２ａの一部の上部に現像ユニット７の一部が覆うように構成されている。同じように、図８の斜線領域で示すように、感光体ドラム２ｂの一部の上部に現像ユニット８の一部が覆うように構成され、感光体ドラム２ｃの一部の上部に現像ユニット９の一部が覆うように構成されている。
【００３２】
このように構成することにより、デッドスペースをなくし、幅方向の寸法を縮小することができる。
【００３３】
感光体ドラム２ａと現像ローラ６ｄとトナー供給ローラ６ｃは、それぞれの軸芯が互いにほぼ一直線上になる位置に構成されている。この関係は４段とも同じにすることが可能であることは言うまでもない。
【００３４】
また、他の構成として、感光体ドラム２ａと現像ローラ６ｄとは、それぞれの軸芯が互いにほぼ一直線上になる位置に構成されており、トナー供給ローラ６ｃの軸芯は、感光体ドラム２ａの軸芯と現像ローラ６ｄの軸芯とを結ぶ直線よりも、薄層化ローラ６ｅ側に設ける構成でもよい。また、この関係は４段とも同じにすることが可能であることは言うまでもない。
【００３５】
或いは、他の表現で説明すると、感光体ドラム２ａの軸芯と現像ローラ６ｄの軸芯とを結ぶ直線が垂直方向からなす角度よりも、感光体ドラム２ａの軸芯とトナー供給ローラ６ｃの軸芯とを結ぶ直線が垂直方向からなす角度の方が小さくなる位置に、トナー供給ローラ６ｃを設けることができる。この関係は４段とも同じにすることが可能であることは言うまでもない。
【００３６】
このように構成することにより、現像ユニット６，７，８，９の容積も縮小化でき、幅方向の寸法も小さくできる。更に感光体ドラム２ａ〜２ｄと現像ユニット６，７，８，９を合わせた全体的な容積、寸法も縮小化できる。
【００３７】
【発明の効果】
本発明によれば、感光体ドラムどうしの間に支持具によって保持されたクリーニングブレードだけを配置し、現像ローラは支持具の上方であって感光体ドラムの軸から斜めに傾斜した線分上に軸線を持つように配置するので、従来構造に比べて感光体ドラムどうしの間隔を狭めることができる。したがって、画像形成装置の小型化が可能となると同時に、中間転写ベルトの転写位置の間隔も小さくでき、良好なカラー画像の形成が可能となる。また、中間転写ベルトも短くなるので転写工程の時間も短縮され、使い勝手が格段に向上する。
【００３８】
また、現像ユニットの容積も縮小化でき、幅方向の寸法も小さくできる。更に感光体ドラムと現像ユニットを合わせた全体的な容積、寸法も縮小化できる。そして、隣接する感光体ドラムの現像ローラから放出されるトナーを受け止め、中間転写ベルトへの無用なトナーの付着防止が行える。
【図面の簡単な説明】
【図１】本発明の一実施の形態によるカラー画像形成装置の構成を示す概略正面図
【図２】感光体ドラムと帯電ブラケットを備えたハウジングに現像ユニットを装着したときの要部の正面縦断面図
【図３】ハウジングの斜視図
【図４】支持具に保持されたクリーニングブレードの斜視図
【図５】１個の現像ユニットを感光体ドラムとともに示す斜視図
【図６】ハウジングにイエローの現像ユニットを組み込んだときの斜視図
【図７】ハウジングに全ての現像ユニットを組み込んだときの斜視図
【図８】本発明の実施の形態に係るカラー画像形成装置の正面縦断面図
【図９】従来の現像ユニットと感光体ユニットの構成例を示す要部の概略正面図
【符号の説明】
１  ハウジング
１ａ  着脱孔
１ｂ，１ｃ  装着溝
１ｄ  保持座
２ａ，２ｂ，２ｃ，２ｄ  感光体ドラム
３ａ，３ｂ，３ｃ，３ｄ  帯電ブラシ
４ａ，４ｂ，４ｃ，４ｄ  クリーニングブレード
５  支持具
５ａ  排出ユニット
６，７，８，９  現像ユニット
６ａ，７ａ，８ａ，９ａ  ケーシング
６ｂ，７ｂ，８ｂ，９ｂ  アジテータ
６ｃ，７ｃ，８ｃ，９ｃ  トナー供給ローラ
６ｄ，７ｄ，８ｄ，９ｄ  現像ローラ
６ｅ，７ｅ，８ｅ，９ｅ  薄層化ローラ
６ｆ，７ｆ，８ｆ，９ｆ  リカバリーシート
６ｇ，７ｇ，８ｇ，９ｇ  スクレーパ
６ｈ  スプリング
１０ａ，１０ｂ，１０ｃ，１０ｄ  トナータンク
１１ａ，１１ｂ，１１ｃ，１１ｄ  パッド
５１  中間転写ベルト
５１ａ  ドライブプーリ
５１ｂ  転写ローラ
５２  用紙カセット
５３  定着器
Ａ  画像形成ユニット
Ｐ  用紙
【図１】
0004254110.tif 000002
【図２】
0004254110.tif 000003
【図３】
0004254110.tif 000004
【図４】
0004254110.tif 000005
【図５】
0004254110.tif 000006
【図６】
0004254110.tif 000007
【図７】
0004254110.tif 000008
【図８】
0004254110.tif 000009
【図９】
0004254110.tif 000010